(57)【要約】【課題】寝床内気象を使用者の体温に応じて常に最も好ましい温度に保つことの出来る寝具を得る。【解決手段】寝具において相変化物質を内包するマイクロカプセルを、高吸湿繊維よりなる布帛に配している。相変化物質は、２２〜３７℃に融点を有するパラフィン系ワックス又はその誘導体を主成分とするものであり、マイクロカプセルは、布帛を構成する繊維内に分散させるか布帛表面にバインダーと共に塗付されている。そして、高吸湿繊維布帛は５０〜１００重量％の、紙糸又はアクリレート系高吸湿繊維としている。【選択図】        図１
2004154281.tif 000002
【特許請求の範囲】
【請求項１】
相変化物質を内包するマイクロカプセルを、高吸湿繊維よりなる布帛に配したことを特徴とする寝具。
【請求項２】
相変化物質は２２〜３７℃に融点を有するパラフィン系ワックス又はその誘導体を主成分とすることを特徴とする請求項１記載の寝具。
【請求項３】
マイクロカプセルは布帛を構成する繊維内に分散させてなることを特徴とする請求項１記載の寝具。
【請求項４】
マイクロカプセルは布帛表面にバインダーと共に付着させてなることを特徴とする請求項１記載の寝具。
【請求項５】
高吸湿繊維布帛は少なくとも５０〜１００重量％の紙糸より構成されたものであることを特徴とする請求項１記載の寝具。
【請求項６】
高吸湿繊維布帛は少なくとも５０〜１００重量％のアクリレート系高吸湿繊維である請求項１記載の寝具。
【発明の詳細な説明】
【０００１】
【発明の属する技術分野】
本発明は、掛布団，敷布団，敷パッド，ベッドマット等身体を覆い、所謂寝床内気象（身体と寝具間の温度環境）を冬は暖かく、夏は涼しいと感じることの出来る寝具に関する。
【０００２】
【従来の技術】
寝具の寝床内気象は３３±１℃、５０±５％ＲＨが快適な睡眠が得られる条件といわれている。寒いときには断熱性の高い暖かい寝具、暑い時には冷感を得る薄い寝具を用い、また寝室の温度条件を変えて対応しているのが現状で、寝具材料としては、冬には毛や空気を多く含んだ嵩高な繊維、夏には麻や木綿等の熱伝導率の良い繊維が使われている。
【０００３】
冷感を得られる素材として紙をテープ状にカットした後に撚りをかけて紐状の紙糸とし、これを製編織した編織物は知られている。紙の特徴である吸水性，吸湿性，断熱性に優れた紙糸に耐水処理を施しベトツキの少ない、衣料等の素材に適した清涼感のある編織物が提案されている（特許文献１参照）。
【０００４】
また、相変化物質の固体から液体への相変化を利用し対象物の熱を吸収又は放出するため相変化物質をマイクロカプセル化しバインダー樹脂に分散させ布帛に塗付する技術が開示されている（特許文献２，３，４参照）。
【０００５】
人は就寝時、快適な眠りを得るには、寝床内気象は３３±１℃、５０±５％ＲＨがよいといわれている。
就寝する場合、寝具温度が体温より低ければ寝具が暖まるまでは、体温は寝具側に移動していく。寝具温度が、体温と室内温度との間で安定するまでには約６０分以上の時間がかかる。いかに速く寝床内気象を安定させるかが肝要であり、その安定が寝具の快適性につながり、且つ快適睡眠につながることになる。
【０００６】
【特許文献１】
特開２００１−２５４２４４号公報  （２頁１欄）
【特許文献２】
米国特許第４７５６９５８号明細書  （アブストラクツ）
【特許文献３】
特許第３２４４４５１号明細書  （特許請求の範囲，請求項１）
【特許文献４】
特表２００１−５２３５９６号  （特許請求の範囲，請求項１乃至請求項９）
【０００７】
【発明が解決しようとする課題】
上記の点に鑑みて、本発明は寝床内気象を使用者の体温に応じて常に最も好ましい温度に保つことの出来る寝具を得ることを目的としている。
【０００８】
【課題を解決するための手段】
請求項１記載の発明は、寝具において相変化物質を内包するマイクロカプセルを、高吸湿繊維よりなる布帛に配している。
相変化物質は、２２〜３７℃に融点を有するパラフィン系ワックス又はその誘導体を主成分とするものであり、マイクロカプセルは、布帛を構成する繊維内に分散させるか布帛表面にバインダーと共に塗付されている。
そして、高吸湿繊維布帛は５０〜１００重量％の、紙糸又はアクリレート系高吸湿繊維としている。
【０００９】
【発明の実施の形態】
本発明の実施の形態について以下説明する。
本発明は、掛布団，敷布団，敷パッド，ベッドマット等身体を覆う寝具に実施することが出来る。
【００１０】
本発明の寝具を構成する布帛は、高吸湿繊維よりなる布帛１に相変化物質２を内包したマイクロカプセル３を配してなるものである。布帛１に上記カプセル３を配する手段は、図１Ｂに示す如く布帛１の表面に上記マイクロカプセルをコーティング或いはプリント等の手段でバインダー４と共に付着させても良く、或いは図１Ｃに示す如く、マイクロカプセル３を練り込んだ糸５を編成或いは製織しても良い。不織布の状態でも勿論差し支えない。
【００１１】
本発明に用いる高吸湿繊維は２０℃５０％ＲＨでの飽和吸湿率が８〜７０重量％好ましくは８〜６０重量％の高吸湿繊維で、夏季用布団とする場合は、毛羽立ちが少なく、冷たく感じる紙糸による布帛が好ましい。紙糸は８〜４０ｇ／ｍ２のパルプ製の紙を３〜１００ｍｍ好ましくは５〜５０ｍｍ幅にスリットしたテープを加撚した紐状の糸で、該紙糸を製編織し編織物として寝具に供する。また、冬季用布団とする場合は、アクリレート系繊維の紡績糸が毛羽立が多く暖感を与えるので好ましい。
【００１２】
２０℃，６５％ＲＨの高吸湿性繊維の飽和吸湿率が８〜７０重量％であれば寝具として汗を良く吸い寝床内の湿度の上昇を防ぎ、就寝中もべとつきを感じることなく快適性を保つことができる。吸湿性が８％以下で低い場合は、寝床内への影響は少なく、吸湿性が７０％を超えると繊維が吸湿して風合いが極端に低下する。好ましくは吸湿性を８〜６０重量％とするのが望ましい。
【００１３】
本発明に用いる、相変化物質は、２２〜３７℃で好ましくは２５〜３４℃の範囲で固体から液体に相変化するパラフィン系又はその誘導体を主成分とする物質で、例えばｎ−オクタデカンを挙げる事が出来、該相変化物質は０．５乃至１００ミクロンのマイクロカプセルにして用いる。繊維中にマイクロカプセルを練り込む場合には０．５〜２０ミクロンとし、布帛表面にコーティングする場合は２〜５０ミクロンが望ましい。該相変化物質は、結晶化，溶融に際して熱を吸収又は放出することにより、温度を安定化するので、本発明寝具の所望の温度での使用を可能とすることが出来る。マイクロカプセルとしては、公知のものを適用する。
【００１４】
本発明に用いる寝具の形態は、寝具側地として用いる高吸湿繊維布帛に直接相変化物質を含むマイクロカプセルを塗付してもよいし、該布帛の身体に接する反対側に別布帛として配しても良い。
【００１５】
布帛の開口率としては１０〜８０％、好ましくは２０〜６０％が良い。開口率が低いと湿度調節はよくなるが熱伝達効果が悪くなり、一方開口率が高くなると高吸湿繊維が少なくなり湿度調節効果が低くなる。
【００１６】
【発明の効果】
相変化物質と高吸湿繊維とを併せて同時に寝具に用いることで、就寝直後は、温度が高い時（夏期）には接触温冷感で感じ、気温の低い時（冬期）には、身体から蒸散した水分による高吸水繊維への吸着発熱により暖かさを感じる。同時に、身体の熱は相変化物質に伝わり、周囲より温度が低いときには放熱となり、高いときには蓄熱される。即ち、温度調節が可能となる。
【図面の簡単な説明】
【図１】Ａはカプセルの断面図、Ｂはマイクロカプセルをバインダーにより寝具の布帛に付着された断面図、Ｃは糸の断面図。
【符号の説明】
１  布帛
２  相変化物質
３  カプセル
４  バインダー
５  糸
【図１】
2004154281.tif 000003